(57)【要約】【課題】  周辺領域における明るさが向上し偏色が抑制されたディスプレイシステムの照明装置を提供する。【解決手段】  複数の光源と、該複数の光源から出射された光が入射される光入射領域を有する少なくとも１つの光拡散板とを備えたディスプレイシステムの照明装置であって、前記複数の光源が分散して配置される領域Ｓの面積が、前記光入射領域の面積とほとんど同じか又は広いディスプレイシステムの照明装置。複数の光源と、該複数の光源から出射された光が入射される少なくとも１つの側端面及び該少なくとも１つの側端面と実質的に直交するように形成され前記入射された光を出光する出光面を有する導光板とを備えたディスプレイシステムの照明装置であって、前記複数の光源が分散して配置される領域の長さＭが、前記少なくとも１つの側端面の長さとほとんど同じか又は長いディスプレイシステムの照明装置。【選択図】    図２
2005203346.tif 000002
【特許請求の範囲】
【請求項１】
複数の光源と、該複数の光源から出射された光が入射される光入射領域を有する少なくとも１つの光拡散板とを備えたディスプレイシステムの照明装置であって、
前記複数の光源が分散して配置される領域Ｓの面積が、前記光入射領域の面積とほとんど同じか又は広いことを特徴とするディスプレイシステムの照明装置。
【請求項２】
さらに、前記光拡散板で拡散された光を受光して画像を表示する表示領域を有するディスプレイパネルを備えたディスプレイシステムの照明装置であって、
前記光拡散板は、前記光入射領域が前記表示領域に対向するように配置されることを特徴とする請求項１に記載のディスプレイシステムの照明装置。
【請求項３】
前記複数の光源は各光源が隣接する光源とピッチＧで離間し、且つ、前記表示領域が幅Ａと長さＢを有するものである場合において、
前記領域Ｓが、下記式（１）を満たすことを特徴とする請求項２に記載のディスプレイシステムの照明装置。
（Ａ＋Ｇ）×（Ｂ＋Ｇ）≦Ｓ≦（Ａ＋３Ｇ）×（Ｂ＋３Ｇ）              （１）
【請求項４】
前記ディスプレイパネルが液晶ディスプレイパネルであることを特徴とする請求項２又は請求項３に記載のディスプレイシステムの照明装置。
【請求項５】
前記複数の光源が発光ダイオードであることを特徴とする請求項１〜請求項４のいずれか１項に記載のディスプレイシステムの照明装置。
【請求項６】
前記複数の光源がアレイ状に分散して配置されることを特徴とする請求項１〜請求項５のいずれか１項に記載のディスプレイシステムの照明装置。
【請求項７】
さらに、前記複数の光源を囲む複数の側壁を有する装置ケースを備えることを特徴とする請求項１〜請求項６のいずれか１項に記載のディスプレイシステムの照明装置。
【請求項８】
前記複数の側壁の少なくとも一つの側壁は、該側壁の少なくとも一部分が前記複数の光源が分散して配置された面に対して約６０°〜約９０°の角度で傾けられていることを特徴とする請求項７に記載のディスプレイシステムの照明装置。
【請求項９】
前記複数の側壁の少なくとも一つの側壁は、該側壁の少なくとも一部分が曲面に形成されていることを特徴とする請求項７に記載のディスプレイシステムの照明装置。
【請求項１０】
前記複数の側壁の少なくとも一つの側壁は、該側壁の内表面が前記装置ケースの中に光を散乱させるように形成されていることを特徴とする請求項７〜請求項９のいずれか１項に記載のディスプレイシステムの照明装置。
【請求項１１】
前記複数の側壁の少なくとも一つの側壁は、該側壁の内表面が光を反射するように形成されていることを特徴とする請求項７〜請求項１０のいずれか１項に記載のディスプレイシステムの照明装置。
【請求項１２】
複数の光源と、該複数の光源から出射された光が入射される少なくとも１つの側端面及び該少なくとも１つの側端面と実質的に直交するように形成され前記入射された光を出光する出光面を有する導光板とを備えたディスプレイシステムの照明装置であって、
前記複数の光源が分散して配置される領域の長さＭが、前記少なくとも１つの側端面の長さとほとんど同じか又は長いことを特徴とするディスプレイシステムの照明装置。
【請求項１３】
さらに、前記出光面から出光された光を受光して画像を表示する表示領域を有するディスプレイパネルを備えたディスプレイシステムの照明装置であって、
前記ディスプレイパネルは、略矩形に形成された前記表示領域が前記出光面と実質的に平行になるように配置されると共に、前記略矩形を形成する辺のうちの少なくとも一辺が前記導光板の少なくとも１つの側端面に実質的に平行になるように配置されることを特徴とする請求項１２に記載のディスプレイシステムの照明装置。
【請求項１４】
前記複数の光源は各光源が隣接する光源とピッチＧで離間し、且つ、前記表示領域の前記少なくとも一辺が長さＢを有するものである場合において、
前記長さＭが下記式（２）を満たすことを特徴とする請求項１３に記載のディスプレイシステムの照明装置。
（Ｂ＋Ｇ）≦Ｍ≦（Ｂ＋３Ｇ）              （２）
【請求項１５】
前記ディスプレイパネルは液晶ディスプレイパネルであることを特徴とする請求項１３又は請求項１４に記載のディスプレイシステムの照明装置。
【請求項１６】
前記複数の光源がアレイ状に分散して配置されることを特徴とする請求項１２〜請求項１５のいずれか１項に記載のディスプレイシステムの照明装置。
【請求項１７】
前記複数の光源が発光ダイオードであることを特徴とする請求項１２〜請求項１６のいずれか１項に記載のディスプレイシステムの照明装置。
【請求項１８】
さらに、前記複数の光源を囲む複数の側壁を有する装置ケースを備えることを特徴とする請求項１２〜請求項１７のいずれか１項に記載のディスプレイシステムの照明装置。
【請求項１９】
前記複数の側壁の少なくとも一つの側壁は、該側壁の少なくとも一部分が前記複数の光源が分散して配置された面に対して約６０°〜約９０°の角度で傾けられていることを特徴とする請求項１８に記載のディスプレイシステムの照明装置。
【請求項２０】
前記複数の側壁の少なくとも一つの側壁は、該側壁の少なくとも一部分が曲面に形成されていることを特徴とする請求項１８に記載のディスプレイシステムの照明装置。
【請求項２１】
前記複数の側壁の少なくとも一つの側壁は、該側壁の内表面が前記装置ケースの中に光を散乱させるように形成されていることを特徴とする請求項１８〜請求項２０のいずれか１項に記載のディスプレイシステムの照明装置。
【請求項２２】
前記複数の側壁の少なくとも一つの側壁は、該側壁の内表面が光を反射するように形成されていることを特徴とする請求項１８〜請求項２１のいずれか１項に記載のディスプレイシステムの照明装置。
【発明の詳細な説明】
【技術分野】
【０００１】
本発明は、ディスプレイシステムの照明装置に関し、特に、ディスプレイパネルの表示領域周辺の明るさを向上することができるディスプレイシステムの照明装置に関するものである。
【背景技術】
【０００２】
図１は、従来のディスプレイシステム１００の概略図を示すものである。ディスプレイシステム１００はバックライト源５と光変調器５０とを含み、光変調器５０はバックライト源５の光拡散板４０と対向する位置に画像表示領域Ｄを有する。バックライト源５は、光変調器５０の表示領域Ｄを照らすものである。一般的に、光変調器５０としては、液晶ディスプレイが用いられる。バックライト源５はケース１０を含み、回路基板３０の表面上には光源２０が分散して配置されており、光源２０はケース１０内に収容される。光源２０としては、例えば発光ダイオード（ＬＥＤ）等の発光源が用いられるが特に限定されるものではない。回路基板３０は、光源２０に適当な駆動電力を提供するものである。また、バックライト源５において、光源２０は反射シート１４を介して回路基板３０上に配置されており、光拡散板４０はケース１０に取り付けられ、光変調器５０に光を拡散するものである。
【０００３】
一般的に、従来のディスプレイシステム１００は、図１に示す光拡散板４０の周辺領域Ｐと光変調器５０の表示領域Ｄとに、光源２０から十分な量の光を受けることができないため、表示領域Ｄの周辺領域Ｐは、その他の表示領域に比べて画像表示が暗くなる。また、ディスプレイシステム１００がカラー表示システムの場合には、周辺領域Ｐは、光源２０が異なる波長の光を出すときに光源２０から十分な各色の光を受けられないため、表示された画像に偏色が生じる。
【０００４】
【特許文献１】特開平１１−３４４７０７（第１頁）
【発明の開示】
【発明が解決しようとする課題】
【０００５】
本発明は、周辺領域における明るさが向上し偏色が抑制されたディスプレイシステムの照明装置を提供する。
【課題を解決するための手段】
【０００６】
本発明（１）は、複数の光源と、該複数の光源から出射された光が入射される光入射領域を有する少なくとも１つの光拡散板とを備えたディスプレイシステムの照明装置であって、前記複数の光源が分散して配置される領域Ｓの面積が、前記光入射領域の面積とほとんど同じか又は広いことを特徴とするディスプレイシステムの照明装置を提供するものである。
【０００７】
本発明（２）は、本発明（１）において、さらに、前記光拡散板で拡散された光を受光して画像を表示する表示領域を有するディスプレイパネルを備えたディスプレイシステムの照明装置であって、前記光拡散板は、前記光入射領域が前記表示領域に対向するように配置されることを特徴とするディスプレイシステムの照明装置を提供するものである。
【０００８】
本発明（３）は、本発明（２）において、前記複数の光源は各光源が隣接する光源とピッチＧで離間し、且つ、前記表示領域が幅Ａと長さＢを有するものである場合において、前記領域Ｓが、下記式（１）を満たすことを特徴とするディスプレイシステムの照明装置を提供するものである。
（Ａ＋Ｇ）×（Ｂ＋Ｇ）≦Ｓ≦（Ａ＋３Ｇ）×（Ｂ＋３Ｇ）              （１）
【０００９】
本発明（４）は、本発明（２）又は本発明（３）において、前記ディスプレイパネルが液晶ディスプレイパネルであることを特徴とするディスプレイシステムの照明装置を提供するものである。
【００１０】
本発明（５）は、本発明（１）〜本発明（４）のいずれかにおいて、前記複数の光源が発光ダイオードであることを特徴とするディスプレイシステムの照明装置を提供するものである。
【００１１】
本発明（６）は、本発明（１）〜本発明（５）のいずれかにおいて、前記複数の光源がアレイ状に分散して配置されることを特徴とするディスプレイシステムの照明装置を提供するものである。
【００１２】
本発明（７）は、本発明（１）〜本発明（６）のいずれかにおいて、さらに、前記複数の光源を囲む複数の側壁を有する装置ケースを備えることを特徴とするディスプレイシステムの照明装置を提供するものである。
【００１３】
本発明（８）は、本発明（７）において、前記複数の側壁の少なくとも一つの側壁は、該側壁の少なくとも一部分が前記複数の光源が分散して配置された面に対して約６０°〜約９０°の角度で傾けられていることを特徴とするディスプレイシステムの照明装置を提供するものである。
【００１４】
本発明（９）は、本発明（７）において、前記複数の側壁の少なくとも一つの側壁は、該側壁の少なくとも一部分が曲面に形成されていることを特徴とするディスプレイシステムの照明装置を提供するものである。
【００１５】
本発明（１０）は、本発明（７）〜本発明（９）のいずれかにおいて、前記複数の側壁の少なくとも一つの側壁は、該側壁の内表面が前記装置ケースの中に光を散乱させるように形成されていることを特徴とするディスプレイシステムの照明装置を提供するものである。
【００１６】
本発明（１１）は、本発明（７）〜本発明（１０）のいずれかにおいて、前記複数の側壁の少なくとも一つの側壁は、該側壁の内表面が光を反射するように形成されていることを特徴とするディスプレイシステムの照明装置を提供するものである。
【００１７】
本発明（１２）は、複数の光源と、該複数の光源から出射された光が入射される少なくとも１つの側端面及び該少なくとも１つの側端面と実質的に直交するように形成され前記入射された光を出光する出光面を有する導光板とを備えたディスプレイシステムの照明装置であって、前記複数の光源が分散して配置される領域の長さＭが、前記少なくとも１つの側端面の長さとほとんど同じか又は長いことを特徴とするディスプレイシステムの照明装置を提供するものである。
【００１８】
本発明（１３）は、本発明（１２）において、さらに、前記出光面から出光された光を受光して画像を表示する表示領域を有するディスプレイパネルを備えたディスプレイシステムの照明装置であって、前記ディスプレイパネルは、略矩形に形成された前記表示領域が前記出光面と実質的に平行になるように配置されると共に、前記略矩形を形成する辺のうちの少なくとも一辺が前記導光板の少なくとも１つの側端面に実質的に平行になるように配置されることを特徴とするディスプレイシステムの照明装置を提供するものである。
【００１９】
本発明（１４）は、本発明（１３）において、前記複数の光源は各光源が隣接する光源とピッチＧで離間し、且つ、前記表示領域の前記少なくとも一辺が長さＢを有するものである場合において、前記長さＭが下記式（２）を満たすことを特徴とするディスプレイシステムの照明装置を提供するものである。
（Ｂ＋Ｇ）≦Ｍ≦（Ｂ＋３Ｇ）              （２）
【００２０】
本発明（１５）は、本発明（１３）又は本発明（１４）において、前記ディスプレイパネルは液晶ディスプレイパネルであることを特徴とするディスプレイシステムの照明装置を提供するものである。
【００２１】
本発明（１６）は、本発明（１２）〜本発明（１５）のいずれかにおいて、前記複数の光源がアレイ状に分散して配置されることを特徴とするディスプレイシステムの照明装置を提供するものである。
【００２２】
本発明（１７）は、本発明（１２）〜本発明（１６）のいずれかにおいて、前記複数の光源が発光ダイオードであることを特徴とするディスプレイシステムの照明装置を提供するものである。
【００２３】
本発明（１８）は、本発明（１２）〜本発明（１７）のいずれかにおいて、さらに、前記複数の光源を囲む複数の側壁を有する装置ケースを備えることを特徴とするディスプレイシステムの照明装置を提供するものである。
【００２４】
本発明（１９）は、本発明（１８）において、前記複数の側壁の少なくとも一つの側壁は、該側壁の少なくとも一部分が前記複数の光源が分散して配置された面に対して約６０°〜約９０°の角度で傾けられていることを特徴とするディスプレイシステムの照明装置を提供するものである。
【００２５】
本発明（２０）は、本発明（１８）において、前記複数の側壁の少なくとも一つの側壁は、該側壁の少なくとも一部分が曲面に形成されていることを特徴とするディスプレイシステムの照明装置を提供するものである。
【００２６】
本発明（２１）は、本発明（１８）〜本発明（２０）のいずれかにおいて、前記複数の側壁の少なくとも一つの側壁は、該側壁の内表面が前記装置ケースの中に光を散乱させるように形成されていることを特徴とするディスプレイシステムの照明装置を提供するものである。
【００２７】
本発明（２２）は、本発明（１８）〜本発明（２１）のいずれかにおいて、前記複数の側壁の少なくとも一つの側壁は、該側壁の内表面が光を反射するように形成されていることを特徴とするディスプレイシステムの照明装置を提供するものである。
【発明の効果】
【００２８】
本発明の照明装置によれば、光変調器の表示領域Ｄの明るさを、周辺領域を含めて略均一にすることができる。光変調器における周辺領域以外の表示領域の光度に対する周辺領域の光度の低下は、従来のディスプレイシステムが約５０％であるのに対し、本発明の照明装置では約１５％弱に留まることから、本発明の照明装置は、実質的に表示領域Ｄの周辺の明るさを向上させる。
【発明を実施するための最良の形態】
【００２９】
本発明についての目的、特徴、長所が一層明確に理解されるよう、以下に実施形態を例示し、図面を参照しながら、詳細に説明する。
【実施例】
【００３０】
以下、第１の照明装置の実施の形態として、ディスプレイシステムの光変調器の向上した周辺照明を提供するバックライト装置を説明する。バックライト装置はディスプレイシステムの光変調器に対応する光拡散板を含み、光拡散板は光を光変調器に導くように構成されている。また、バックライト装置は光源を有し、該光源は光変調器の画像表示領域と少なくとも同じか、またはそれより広い面積を有する領域全体に分散して配置される。第１の照明装置では、光変調器の画像表示領域が幅Ａと長さＢを有し、光源のそれぞれ１つがピッチＧによって隣接した光源から離間しているとき、光源に占められた表面領域Ｓ
が下記式（１）の関係を満たすと好ましい。
（Ａ＋Ｇ）×（Ｂ＋Ｇ）≦Ｓ≦（Ａ＋３Ｇ）×（Ｂ＋３Ｇ）              （１）
【００３１】
図２は、模範的なディスプレイシステム２００の概略図である。ディスプレイシステム２００は、バックライト源２０５と光変調器１１０を含むものである。光変調器１１０は、画像を表示する表示領域Ｄを含む。バックライト源２０５は、ケース２１０を含み、回路基板２３０に取り付けられた光源２２０を囲む。本形態のバックライト源２０５は、光源２２０が直接、光変調器１１０を照射する直下型バックライト源になっている。光源２２０としては特に限定されないが、例えば発光ダイオード等の光源を用いることができる。光源が発光ダイオードである場合、光源２２０は、どの色の発光ダイオードであってもよい。光源２２０から出射された異なる波長の光は、統合されることにより、光変調器１１０において広い範囲のカラー表示を得ることができる。なお、発光ダイオードは、例えば、白色発光ダイオードのような単色のもののみを用いてもよい。白色発光ダイオードをカラーフィルターと共に用いると、カラー表示を得ることができる。
【００３２】
光変調器１１０は、どのような種類の光変調器であってもよく、例えば、液晶ディスプレイパネル等の画像を表示するように構成される。回路基板２３０は、光源２２０に駆動電力を提供するのに必要な回路を含むものである。反射シート２１４は、光源２２０から出射された光を光変調器１１０に導くものであり、光源２２０と回路基板２３０の間に設置することができる。光拡散板２４０は、光源２２０から出射された光を光変調器１１０に導くものであり、ケース２１０に接合される。ケース２１０は、側壁２１２ａと２１２ｂの内側に反射コーティング２１６を含んでおり、光源２２０から出射された光を反射させる作用を有する。
【００３３】
光源２２０は、ケース２１０の基底部にある回路基板２３０の表面領域Ｓ全体にアレイ状に分散して配置され、光源２２０から発する光により、光拡散板２４０の光入射領域Ｉを照らすものである。光拡散板２４０に入射されて拡散した光は、光拡散板２４０から出ると光変調器１１０の表示領域Ｄを照らす。第１の照明装置では、光入射領域Ｉが光変調器１１０の表示領域Ｄとほぼ等しく、且つ、光源２２０に占められた表面領域Ｓが光変調器１１０の表示領域Ｄと少なくともほとんど同じか又はそれより大きいと好ましい。この場合、表示領域Ｄと表面領域Ｓの比率は、次のように表すことができる。
Ｄ／Ｓ≦１
【００３４】
なお、光入射領域Ｉが表示領域Ｄとほぼ等しいとき、光入射領域Ｉと表面領域Ｓの比率は次のように表すことができる。
Ｉ／Ｓ≦１
【００３５】
図３は、回路基板２３０の光源２２０の模範的な分布を示している。図３には、光源２２０として赤（Ｒ）、緑（Ｇ）及び青（Ｂ）の色の発光ダイオードを含むものを示しているが、光源２２０は、赤（Ｒ）、緑（Ｇ）及び青（Ｂ）に限らず、所望の色の光を出射するどのような種類の光源を含むものであってもよい。なお、光源２２０は、照射される光が回路基板２３０に適する限り、個々の光源がどのような形態に配列されていてもよい。例えば、光源２２０は、デルタ配列等の配置を採用することができる。
【００３６】
図４は、光変調器１１０に対する光源２２０の模範的な配置を示している。光変調器１１０の表示領域Ｄは、幅Ａと長さＢによって定義される。第１の照明装置では、回路基板２３０の光源２２０によって占められる表面領域Ｓが下記式（１）の関係を満たすと好ましい。
（Ａ＋Ｇ）×（Ｂ＋Ｇ）≦Ｓ≦（Ａ＋３Ｇ）×（Ｂ＋３Ｇ）              （１）
【００３７】
式中、Ｇは、隣接する光源２２０間の距離である。この模範的な配置を採用すると、光変調器１１０の表示領域Ｄ全体に光度の実質的に均一な光が照射され、特に、表示領域Ｄの周辺領域Ｐにも実質的に均一な光が照射される。
【００３８】
図５は、模範的なバックライト源２０５のケース２１０の側壁２１２ｂの模範的な形態を示している。本形態では、ケース２１０の高さｈは例えば約４ｃｍであり、側壁２１２ｂはケース２１０の基底部から高さｋの部分において水平から角度θで傾けられる。同様に、側壁２１２ｂは、高さｋと同じ高さ又は異なる高さにおいて、角度θと同じ又は異なる角度で傾斜させることができる。一つの実施形態では、角度θは、ケースの高さｈが約４ｃｍの場合において、約６０°から約９０°の範囲内とすることができる。角度θと高さｋは、光変調器の表示領域Ｄに必要とされる望ましい光度の量に基づいて調整することができる。角度θと高さｋは、例えば、光変調器の表示領域Ｄのサイズ、光源の表面領域Ｓのサイズ、比率Ｉ／Ｄ、ケース２１０の高さｈ、隣接した個々の光源２２０間の距離などのディスプレイシステム２００の各種のパラメータに基づいて調節することができる。
【００３９】
図６は、ケース２１０の側壁２１２ｂのもう一つの模範的な形態を示している。本形態では、側壁２１２ａと２１２ｂの内表面を階段状表面形成部２１８とすることができる。階段状表面形成部２１８はケースの中の光を散乱させることにより光変調器１１０に入射される光の明るさをさらに向上させるものである。
【００４０】
図７は、さらにもう一つのケース２１０の側壁２１２ｂの模範的な形態を示している。本形態では、側壁２１２ｂは、角度θで傾けられる代わりに曲面として形成される。側壁２１２ａと２１２ｂは、各種の形状を用いて、表示領域Ｄ全体における光度を最適化させるように構成することができる。
【００４１】
次に、第２の照明装置の実施の形態として、エッジライト型バックライト装置を説明する。エッジライト型バックライト装置は、光を光変調器に導く光拡散板を含む。エッジライト型バックライト装置は、さらに、光拡散板の側端に沿って分布する光源を含む。光拡散板の側端の長さは、光変調器の画像表示領域の長さに対応する。光源は、光変調器の画像表示領域の対応する長さと少なくとも同じか又はそれより長い長さＭに沿って分布される。第２の照明装置では、好ましくは、画像表示領域の対応する長さがＢとされ、各光源の一つが、ピッチＧによって隣接した光源から分けられた場合、長さＭが次の関係を満たすと好ましい。
（Ｂ＋Ｇ）≦Ｍ≦（Ｂ＋３Ｇ）              （２）
【００４２】
図８は、エッジライト型バックライト源４０５と光変調器４１０を含む模範的なディスプレイシステム３００の断面図を示している。バックライト４０５は光源モジュール４０６と導光板３４０を含むものであり、光源モジュール４０６は導光板３４０の側端３４０ａに設置される。光源モジュール４０６が点灯すると、光源モジュール４０６から出射された光は側端３４０ａから導光板３４０に入射し出光面３４０ｂから出射されて光変調器３１０の表示領域Ｄに当たるようになっている。ここで光源モジュール４０６は回路基板３３０に取り付けられた光源３２０を含むものである。光源モジュール４０６において、反射シールド３１４は光源３２０と回路基板３３０の間に設置され、光源３２０の光を導光板３４０の側端３４０ａに向けて導くことができるようになっている。本形態では、光源３２０は発光ダイオードになっているが、例えば、冷陰極蛍光等の他の種類の発光源を用いることもできる。さらに、光源３２０は、導光板３４０の２つ又は３つ以上の側端に設置することができる。
【００４３】
図９は、バックライト４０５の模範的な構成を示している。ケース３１０は、光源モジュール４０６、側壁３１２ａ及び３１２ｂを含む。ここで光源モジュール４０６は回路基板３３０に取り付けられた光源３２０を含むものである。光源３２０は、回路基板３３０の表面領域Ｓの長さＭに亘って分散して配置される。本形態では、反射コーティング３１６は、側壁３１２ａと３１２ｂの内表面に施される。光源３２０から出射された光は導光板３４０の側端３４０ａに当たるようになっている。側端３４０ａの端の長さをＬと表す。
【００４４】
図１０は、ディスプレイシステム３００の各種の構成部品の模範的な配置を示している。光源３２０から出射された光は、側端３４０ａから導光板３４０に入射し、出光面３４０ｂから出射される。出光面３４０ｂは、光変調器４１０の表示領域Ｄに対向して配置される。本形態では、光変調器４１０の表示領域Ｄを、幅ＡとＢによって示す。導光板３４０の端のうち、光変調器４１０の表示領域Ｄの長さＢに対応する端の長さをＬと表す。本形態では、光源３２０の長さＭが、表示領域Ｄの長さＢとほとんど同じか又は長いと好ましい。この場合、長さＢと長さＭの比率は、次のように表すことができる。
Ｂ／Ｍ≦１
【００４５】
表示領域Ｄの長さＢが側端面３４０ａの端の長さＬにほぼ等しいとき、上述の比率は、さらに、次のように表すことができる。
Ｌ／Ｍ≦１
【００４６】
本形態では、回路基板３３０の光源３２０の長さＭが、次の関係に基づいて選ばれると好ましい。
（Ｂ＋Ｇ）≦Ｍ≦（Ｂ＋３Ｇ）              （２）
【００４７】
ここで、Ｇは回路基板３３０の光源３２０間の距離であり、Ｂは表示領域Ｄの長さである。この模範的な構成によると、周辺領域を含む光変調器４１０の表示領域Ｄに対する照明を実質的に均一な明るさにすることができる。従来のディスプレイシステムでは周辺領域のその他の領域に対する光度の低下は約５０％であるが、この実施形態では表示領域Ｄの周辺領域のその他の領域に対する光度の低下を約１５％弱に抑制することができる。すなわち、ディスプレイシステム３００の模範的なバックライト構成は、実質的に表示領域Ｄの周辺の照明の光度を向上させるものである。
【００４８】
図１１は、光源モジュール４０６のケースの模範的な構成を示している。本形態では、側壁３１２ａと３１２ｂの部分はその途中で角度θで傾けられるが、側壁３１２ａと３１２ｂは図７に示されるように曲面に形成することもできる。
【００４９】
以上、本発明の好適な実施形態を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００５０】
【図１】バックライト源を用いて光変調器の表示領域を照射する従来のディスプレイシステムの概略図を示している。
【図２】光変調器の表示領域を照射するのに用いられる模範的なバックライト装置を含む模範的なディスプレイシステムの概略図である。
【図３】バックライト装置の回路基板の光源の模範的な分布を示している。
【図４】光変調器に対応する光源の模範的な配置を示している。
【図５】模範的なバックライト装置の装置ケースの側壁の模範的な構成を示している。
【図６】もう一つの装置ケースの側壁の模範的な構成を示している。
【図７】さらにもう一つの装置ケースの側壁の模範的な構成を示している。
【図８】エッジライト型バックライト装置を含む模範的なディスプレイシステムの断面図を示している。
【図９】エッジライト型バックライト装置の模範的な構成を示している。
【図１０】模範的なディスプレイシステムの各種の構成部品の模範的な配置を示している。
【図１１】エッジライト型バックライト装置の装置ケースの模範的な構成を示している。
【符号の説明】
【００５１】
５  バックライト源
１０  ケース
１４  反射シート
２０  光源
３０  回路基板
４０  光拡散板
５０  光変調器
１００  ディスプレイシステム
１１０  光変調器
２００  ディスプレイシステム
２０５  バックライト源
２１０  ケース
２１２ａ、２１２ｂ  側壁
２１４  反射シート
２１６  反射コーティング
２１８  階段状表面形成部
２２０  光源
２３０  回路基板
２４０  光拡散板
３００  ディスプレイシステム
３１０  ケース
３１２ａ、３１２ｂ  側壁
３１４  反射シールド
３１６  反射コーティング
３２０  光源
３３０  回路基板
３４０  導光板
３４０ａ  側端
３４０ｂ  出光面
４１０  光変調器
Ａ  表示領域の幅
Ｂ  表示領域の長さ
Ｄ  表示領域
Ｇ  ピッチ
Ｉ  光入射領域
Ｍ  ＬＥＤの長さ
Ｐ  周辺領域
Ｓ  表面領域
ｈ  ケース２１０の高さ
θ  角度
【図１】
2005203346.tif 000003
【図２】
2005203346.tif 000004
【図３】
2005203346.tif 000005
【図４】
2005203346.tif 000006
【図５】
2005203346.tif 000007
【図６】
2005203346.tif 000008
【図７】
2005203346.tif 000009
【図８】
2005203346.tif 000010
【図９】
2005203346.tif 000011
【図１０】
2005203346.tif 000012
【図１１】
2005203346.tif 000013